(57)【要約】気管切開チューブ１は、患者の首回りに支持され得る可動かつロック可能なフランジ２を有する。フランジは回転可能なロックリング３４を有し、このロックリングは、フランジのウイング２２及び２３に固着したハウジング２６に装着する。弾性スリーブ５０は、一方の端部における圧縮表面４５と他方の端部におけるハウジングのフロア４６との間のロックリングの窪み４４内に位置付ける。ロックリング３４を回すと、ロックリングはハウジング２６に沿って前方に前進し、これにより弾性スリーブ５０を軸線方向に圧縮する。この軸線方向圧縮は、スリーブ５０に作用してチューブ１の外側面に圧着するよう、またハウジング２６の内側で半径方向に拡張させ、これによりフランジ２を所定位置にロックする。【選択図】図３
2018508252.tif 000002
【特許請求の範囲】
【請求項１】
チューブ（１）及び前記チューブの長さに沿って移動可能なフランジアセンブリ（２）を有する医療外科チューブアセンブリにおいて、前記フランジアセンブリ（２）はロック構成（２５）を備え、前記ロック構成は、前記ロック構成の窪み（４４）内に延在しかつ前記チューブ（１）の長さの一部を包囲するよう構成された弾性材料のスリーブ（５０）と、前記ロック構成（２５）に備え付けかつロック位置と釈放位置との間で変位可能な相互動作部材（３４）と、を含み、また前記相互動作部材（３４）は、釈放位置にあるとき前記フランジアセンブリ（２）が前記チューブ（１）の長さの少なくとも一部に沿って自由に移動するのを可能にし、またロック位置にあるとき前記スリーブ（５０）の端部に軸線方向力を加えて前記スリーブを軸線方向に圧縮し、またこれによりスリーブを内方に変形させて前記フランジアセンブリ（２）の前記チューブに沿う移動を阻止するのに十分な把持接触を前記チューブ（１）の外側面に対して生ずるよう構成されている、ことを特徴とする医療外科チューブアセンブリ。
【請求項２】
請求項１記載の医療外科チューブアセンブリにおいて、前記相互動作部材（３４）は、前記チューブ（１）の軸線周りに前記ロック位置と前記釈放位置との間で回転可能である、ことを特徴とする医療外科チューブアセンブリ。
【請求項３】
請求項２記載の医療外科チューブアセンブリにおいて、前記相互動作部材（３４）は、前記チューブ（１）を包囲するねじ山付きリング（３４）である、ことを特徴とする医療外科チューブアセンブリ。
【請求項４】
請求項１〜３のうちいずれか一項記載の医療外科チューブアセンブリにおいて、前記弾性材料の前記スリーブ（５０）はネオプレン製である、ことを特徴とする医療外科チューブアセンブリ。
【請求項５】
請求項１〜４のうちいずれか一項記載の医療外科チューブアセンブリにおいて、前記相互動作部材（３４）及び前記ロック構成（２５）には、前記相互動作部材（３４）を前記ロック位置に保持するよう構成された連係動作戻り止めが設けられている、ことを特徴とする医療外科チューブアセンブリ。
【請求項６】
請求項１〜５のうちいずれか一項記載の医療外科チューブアセンブリにおいて、前記チューブは気管切開チューブ（１）であり、前記フランジアセンブリ（２）は外方に突出する２つのウイング（２２及び２３）を有し、前記ウイングそれぞれには、首ストラップの両側端部を前記フランジアセンブリ（２）に取り付けることができる形成部（２４）が設けられている、ことを特徴とする医療外科チューブアセンブリ。
【請求項７】
チューブ（１）及び前記チューブの長さに沿って移動可能なフランジアセンブリ（２）を有する医療外科チューブアセンブリにおいて、前記フランジアセンブリ（２）はロック構成（２５）を備え、前記ロック構成（２５）は、前記チューブ（１）が貫通する開口（２８）を設けたベース（２７）と、前記ベース（２７）から前記チューブの軸線方向に突出する円筒形の壁（３１）であって、ねじ山（３３）を形成した内面を有しかつ前記チューブ（１）から離間する、該壁（３１）と、を有するハウジング（２６）を含み、前記ロック構成（２５）は、さらに、前記ハウジング（２６）の外側面周りに延在する外側カラー（３５）と、前記円筒形の壁（３１）における前記ねじ山（３３）に係合するねじ山（４１）を外面に有する内側スリーブ（４０）と、を有するロックリング（３４）を含み、前記ロックリング（３４）は、半径方向に延在する圧縮表面（４５）、及び前記スリーブ（４０）の内側面と前記チューブ（１）の外側面との間における窪み（４４）を画定し、また前記ロック構成（２５）は、前記窪み（４４）内に配置される弾性材料のスリーブ（５０）を含み、前記ロックリング（３４）を回転させるとき、前記ロックリング（３４）は前記ベース（２７）に向かって軸線方向に移動し、また前記圧縮表面（４５）が前記弾性材料の前記スリーブ（５０）の端部に係合し、これにより前記スリーブを軸線方向に圧縮しかつ前記スリーブを内方に変形させて、前記フランジアセンブリ（２）が前記チューブに沿って移動するのを阻止するに十分な把持接触を前記チューブ（１）の外側面に対して生ずる、ことを特徴とする医療外科チューブアセンブリ。
【請求項８】
医療外科チューブ（１）用のフランジアセンブリ（２）において、前記フランジアセンブリ（２）はロック構成（２５）を備え、前記ロック構成は、前記ロック構成の窪み（４４）内に延在しかつ前記チューブ（１）の長さの一部を包囲するよう構成された弾性材料のスリーブ（５０）と、前記ロック構成（２５）に備え付けかつロック位置と釈放位置との間で変位可能な相互動作部材（３４）と、を含み、また前記相互動作部材（３４）は、釈放位置にあるとき前記フランジアセンブリ（２）が前記チューブ（１）の長さの少なくとも一部に沿って自由に移動するのを可能にし、またロック位置にあるとき前記スリーブ（５０）の端部に軸線方向力を加えて前記スリーブを軸線方向に圧縮し、またこれによりスリーブを内方に変形させて前記フランジアセンブリ（２）の前記チューブに沿う移動を阻止するのに十分な把持接触を前記チューブ（１）の外側面に対して生ずるよう構成されている、ことを特徴とするフランジアセンブリ。
【請求項９】
請求項８記載のフランジアセンブリにおいて、前記相互動作部材は、前記チューブを包囲し、かつ前記チューブ（１）の軸線周りに前記ロック位置と前記釈放位置との間で回転可能に構成されたねじ山付きリング（３４）である、ことを特徴とするフランジアセンブリ。
【請求項１０】
医療外科チューブに装着することができ、かつ前記医療外科チューブの長さに沿って移動可能なフランジアセンブリ（２）において、前記フランジアセンブリ（２）はロック構成（２５）を備え、前記ロック構成（２５）は、前記チューブ（１）が貫通する開口（２８）を設けたベース（２７）と、前記ベース（２７）から軸線方向に突出する円筒形の壁（３１）であって、ねじ山（３３）を形成した内面を有する、該壁（３１）と、を有するハウジング（２６）を含み、前記ロック構成（２５）は、さらに、前記ハウジング（２６）の外側面周りに延在する外側カラー（３５）と、前記円筒形の壁（３１）における前記ねじ山（３３）に係合するねじ山（４１）を外面に有する内側スリーブ（４０）と、を有するロックリング（３４）を含み、前記ロックリング（３４）は、前記スリーブ（４０）の内側面と前記チューブ（１）の外側面との間における窪み（４４）、及び半径方向に延在する圧縮表面（４５）を画定し、また前記ロック構成（２５）は、前記窪み（４４）内に配置される弾性材料のスリーブ（５０）を含み、前記ロックリング（３４）を回転させるとき、前記ロックリング（３４）は前記ベース（２７）に向かって軸線方向に移動し、また前記圧縮表面（４５）が前記弾性材料の前記スリーブ（５０）の端部に係合し、これにより前記スリーブを軸線方向に圧縮しかつ前記スリーブを内方に変形させて、前記フランジアセンブリ（２）が前記チューブに沿って移動するのを阻止するに十分な把持接触を前記チューブ（１）の外側面に対して生ずる、ことを特徴とするフランジアセンブリ。
【発明の詳細な説明】
【技術分野】
【０００１】
本発明は、チューブ及びこのチューブ長さに沿って移動可能なフランジアセンブリを含む種類の医療外科チューブアセンブリに関する。
【背景技術】
【０００２】
気管切開チューブのような医療外科チューブには、一般的に患者の身体にチューブを固定するためのフランジを設ける。気管切開チューブの場合、チューブを気管切開部に挿管する首の表面近傍にフランジを位置決めし、テープをフランジ内の開口に通して首の周りに固定する。多くの患者にとって、数種類の異なるサイズのチューブであって、それぞれが平均的身体構造を有する患者に適したチューブに沿う固定の位置に備え付けたフランジを有する、該チューブ群のうち１つのチューブを用いて快適な装着を得ることができる。しかし、例えば、首表面と気管との間における組織が極めて厚い肥満体の患者のように、固定フランジが適当でない幾つかの状況がある。これらの状況では、フランジをチューブに沿って理想的な位置に移動可能であり、かつその位置にロック可能であることが好ましい。調整可能なフランジを有するチューブについては、例えば、特許文献１〜１１（米国特許第５０２６３５２号、同第４２４９５２９号、同第４４４９５２７号、同第４４９８９０３号、同第４５３０３５４号、同第４６４９９１３号、同第４６８３８８２号、同第４７７４９４４号、国際公開第８０／０２６４５号、国際公開第８４／０３２１７号、米国特許第４２７８０８１号、及び国際公開第０６／０８７５１３号）に記載されている。特許文献１３（米国特許第８１０４４７６号）は、レバーを平らに折り畳むときチューブの外側面にクランプされる２つの半部を有する調整可能フランジを設けたチューブを記載している。チューブが濡れていて滑り易いときでも、フランジをチューブに対する確実な固定を得ることは重要である。このため、フランジは、チューブの外側面比較的高い摩擦力を加えなければならない。このことは、チューブの外側面がフランジによって圧迫され、チューブの外側面に永久的又は半永久的な凹みを生じ、チューブ直径及びチューブ内ボアの断面領域を局所的に減少させることになりかねないという問題を引き起こし得る。
【先行技術文献】
【特許文献】
【０００３】
【特許文献１】米国特許第５０２６３５２号明細書
【特許文献２】米国特許第４２４９５２９号明細書
【特許文献３】米国特許第４４４９５２７号明細書
【特許文献４】米国特許第４４９８９０３号明細書
【特許文献５】米国特許第４５３０３５４号明細書
【特許文献６】米国特許第４６４９９１３号明細書
【特許文献７】米国特許第４６８３８８２号明細書
【特許文献８】米国特許第４７７４９４４号明細書
【特許文献９】国際公開第８０／０２６４５号パンフレット
【特許文献１０】国際公開第８４／０３２１７号パンフレット
【特許文献１１】米国特許第４２７８０８１号明細書
【特許文献１２】国際公開第０６／０８７５１３号パンフレット
【特許文献１３】米国特許第８１０４４７６号明細書
【発明の概要】
【発明が解決しようとする課題】
【０００４】
本発明の目的は、従来に代わる医療外科チューブアセンブリ及び医療外科チューブアセンブリ用のフランジアセンブリを得るにある。
【課題を解決するための手段】
【０００５】
本発明の一態様によれば、上述の種類の医療外科チューブアセンブリを提供し、この医療外科チューブアセンブリにおいて、前記フランジアセンブリはロック構成を備え、前記ロック構成は、前記ロック構成の窪み内に延在しかつ前記チューブの長さの一部を包囲するよう構成された弾性材料のスリーブと、前記ロック構成に備え付けかつロック位置と釈放位置との間で変位可能な相互動作部材と、を含み、また前記相互動作部材は、釈放位置にあるとき前記フランジアセンブリが前記チューブの長さの少なくとも一部に沿って自由に移動するのを可能にし、またロック位置にあるとき前記スリーブの端部に軸線方向力を加えて前記スリーブを軸線方向に圧縮し、またこれによりスリーブを内方に変形させて前記フランジアセンブリの前記チューブに沿う移動を阻止するのに十分な把持接触を前記チューブの外側面に対して生ずるよう構成されている、ことを特徴とする。
【０００６】
前記相互動作部材は、好適には、前記チューブの軸線周りに前記ロック位置と前記釈放位置との間で回転可能である。前記相互動作部材は、前記チューブを包囲するねじ山付きリングとすることができる。前記弾性材料の前記スリーブはネオプレン製とすることができる。前記相互動作部材及び前記ロック構成には、前記相互動作部材を前記ロック位置に保持するよう構成された連係動作戻り止めが設けることができる。前記チューブは気管切開チューブとすることができ、前記フランジアセンブリは外方に突出する２つのウイングを有し、前記ウイングそれぞれには、首ストラップの両側端部を前記フランジアセンブリに取り付けることができる形成部が設けられているものとし得る。
【０００７】
本発明の他の態様によれば、チューブ及び前記チューブの長さに沿って移動可能なフランジアセンブリを有する医療外科チューブアセンブリを提供し、前記医療外科チューブアセンブリにおいて、前記フランジアセンブリはロック構成を備え、前記ロック構成は、前記チューブが貫通する開口を設けたベースと、前記ベースから前記チューブの軸線方向に突出する円筒形の壁であって、ねじ山を形成した内面を有しかつ前記チューブから離間する、該壁と、を有するハウジングを含み、前記ロック構成は、さらに、前記ハウジングの外側面周りに延在する外側カラーと、前記円筒形の壁における前記ねじ山に係合するねじ山を外面に有する内側スリーブと、を有するロックリングを含み、前記ロックリングは、半径方向に延在する圧縮表面、及び前記スリーブの内側面と前記チューブの外側面との間における窪みを画定し、また前記ロック構成は、前記窪み内に配置される弾性材料のスリーブを含み、前記ロックリングを回転させるとき、前記ロックリングは前記ベースに向かって軸線方向に移動し、また前記圧縮表面が前記弾性材料の前記スリーブの端部に係合し、これにより前記スリーブを軸線方向に圧縮しかつ前記スリーブを内方に変形させて、前記フランジアセンブリが前記チューブに沿って移動するのを阻止するに十分な把持接触を前記チューブの外側面に対して生ずる、ことを特徴とする。
【０００８】
本発明の他の態様によれば、医療外科チューブ用のフランジアセンブリを提供し、前記フランジアセンブリにおいて、前記フランジアセンブリはロック構成を備え、前記ロック構成は、前記ロック構成の窪み内に延在しかつ前記チューブの長さの一部を包囲するよう構成された弾性材料のスリーブと、前記ロック構成に備え付けかつロック位置と釈放位置との間で変位可能な相互動作部材と、を含み、また前記相互動作部材は、釈放位置にあるとき前記フランジアセンブリが前記チューブの長さの少なくとも一部に沿って自由に移動するのを可能にし、またロック位置にあるとき前記スリーブの端部に軸線方向力を加えて前記スリーブを軸線方向に圧縮し、またこれによりスリーブを内方に変形させて前記フランジアセンブリの前記チューブに沿う移動を阻止するのに十分な把持接触を前記チューブの外側面に対して生ずるよう構成されている、ことを特徴とする。
【０００９】
前記相互動作部材は、好適には、前記チューブを包囲し、かつ前記チューブの軸線周りに前記ロック位置と前記釈放位置との間で回転可能に構成されたねじ山付きリングであるものとする。
【００１０】
本発明の第４態様によれば、医療外科チューブに装着することができ、かつ前記医療外科チューブの長さに沿って移動可能なフランジアセンブリを提供し、前記フランジアセンブリはロック構成を備え、前記ロック構成は、前記チューブが貫通する開口を設けたベースと、前記ベースから軸線方向に突出する円筒形の壁であって、ねじ山を形成した内面を有する、該壁と、を有するハウジングを含み、前記ロック構成は、さらに、前記ハウジングの外側面周りに延在する外側カラーと、前記円筒形の壁における前記ねじ山に係合するねじ山を外面に有する内側スリーブと、を有するロックリングを含み、前記ロックリングは、前記スリーブの内側面と前記チューブの外側面との間における窪み、及び半径方向に延在する圧縮表面を画定し、また前記ロック構成は、前記窪み内に配置される弾性材料のスリーブを含み、前記ロックリングを回転させるとき、前記ロックリングは前記ベースに向かって軸線方向に移動し、また前記圧縮表面が前記弾性材料の前記スリーブの端部に係合し、これにより前記スリーブを軸線方向に圧縮しかつ前記スリーブを内方に変形させて、前記フランジアセンブリが前記チューブに沿って移動するのを阻止するに十分な把持接触を前記チューブの外側面に対して生ずる、ことを特徴とする。
【００１１】
本発明による気管切開チューブアセンブリを以下に例として添付図面につき説明する。
【図面の簡単な説明】
【００１２】
【図１】フランジが非ロック状態にあるアセンブリの斜視図である。
【図２】フランジがロック状態にあるアセンブリの斜視図である。
【図３】フランジが非ロック状態にある縦断面図である。
【図４】フランジがロック状態にある縦断面図である。
【発明を実施するための形態】
【００１３】
図１につき説明すると、チューブアセンブリは、チューブ１、及びロック構成２５を有するフランジアセンブリ２を備え、フランジアセンブリはチューブに沿って移動可能かつチューブ長さに沿う異なる場所にロック可能である。
【００１４】
チューブ１は、ＰＶＣ、ポリウレタン又はシリコーンのような普通の屈曲可能なプラスチック材料で形成し、円形断面の中空形状にし、また滑らかな内面を有する。外面はやはり滑らかにする、又はフランジアセンブリ２のグリップ性を改善する触感付けを行うことができる。チューブ１は、螺旋ワイヤ又は類似の部材で補強したシャフトを有することができる。チューブ１は、何らかの封止カフを持たないものとして図示するが、当然のことながら、本発明は、膨張可能な又は別形式の普通の封止カフを有する気管切開チューブに適用することができる。同様に、チューブには、カフ上方を吸引するための装備、発話を可能にする窓付け等々のような別の通常形体を設けることができる。チューブ１のシャフトは、真直ぐな患者側端部領域１６、湾曲した中間領域１７、及び患者側端部に対してほぼ１２０゜の角度をなして延在する真直ぐな装置側端部領域１８を有する。代替形状のシャフトも可能であって、例えば、長さに沿って連続的に湾曲するシャフト、自然には真直ぐな形状であるが、身体構造の形状に容易に順応できる高い可撓性を有するシャフトもあり得る。
【００１５】
フランジアセンブリ２は、円形中心開孔２１（図３参照）付きの矩形の中央プレート２０を有し、中心開孔の直径は、チューブ１が開孔内に密な滑り嵌め状態となる大きさとする。２つのウイング２２及び２３が中央プレート２０の両側で中央プレート２０から突出する。２個のウイング２２及び２３は、ほぼ長方形であり、その長さに沿って僅かに湾曲し、また各ウイングの遊端寄りに側方溝孔２４を形成し、これら側方溝孔によってテープ、ストラップ等をウイングに固定することができる。２個のウイング２２及び２３は、プレート及びウイングに一体的に形成した対応する固定区域又はウェブ４２及び４３によって中央プレート２０に取り付ける。ウェブ４２及び４３は、プレート２０並びにウイング２２及び２３に比べて縮小した幅を有し、ウイングを前方に引っ張るとき撓むことができる。このことにより、ウイング２２及び２３は、位置決めした後に前方に引っ張るときヒンジ動作して、フランジの下側領域に対するアクセス、観察又はクリーニングを可能にする。ウェブ４２及び４３の縮小した幅によれば、さらに、ウイングと中央プレートとの間、ひいてはチューブとの間における若干の回転運動を可能にする。このことは、患者に加わるトルクを減少するのに役立つ。フランジアセンブリ２は、さらに、瘻孔部位に対する圧力を減少するよう、ウイング２２及び２３の前側すなわち患者側を１〜２ｍｍだけ中央プレート２０の前側に対して前方にセットするよう配列する。ウイング２２及び２３は、さらに、首の身体的構造のいかなる部分に対しても圧力減少に役立つよう面積が比較的大きくなるよう設計し、これにより圧力の蓄積を減少する補助ができるようになる。ウイング２２及び２３の大きなサイズは、より大きな頸部腫瘤を有する患者に存在する皮膚のひだ内に埋没するリスクを軽減する。
【００１６】
次に図３につき説明すると、これは弛緩した非ロック状態にあるフランジのロック構成２５を示し、このロック構成は、チューブ１が自由に貫通する中心開口２８を持つベース２７があるハウジング２６を有する。ベース２７は、その端縁周りに外方に突出するリップ２９を有し、このリップ２９はフランジ２の中央プレート２０周りに形成した水平出っ張り３０の下側に捕捉される。ハウジング２６も、チューブ１の軸線方向に延在し、またその左方の後側すなわち装置側端部で開口する円筒形の壁３１を有し、この壁３１には僅かに外方に突出する保持リップ３２を形成する。壁３１の外面は滑らかであるが、その内面にはねじ山３３を形成し、このねじ山３３は壁の外方端部と内方端部との間で単一巻回をなすものとする。
【００１７】
ロック構成２５の一部である回転可能なロックリング３４の形式とした相互動作可能な部材をベース２７に備え付ける。ロックリング３４は、外面に刻み目３６又は類似のグリップ形状部を形成した外側カラー３５を有する。このカラー３５は壁３１周りのリップ３２の外径と同一直径の滑らかな内面を有し、カラーの右側の前方すなわち患者側端部には、リング３４が非ロック状態、すなわち左側の最後部位置にあるとき壁周りのリップの前側に係合する内方突出リップ３６を形成し、リングがロック構成から離脱するのを防止する。ロックリング３４は、さらに、軸線方向に延在するスリーブ４０の形式とした一体的な内方圧縮コンポーネントを有する。スリーブ４０の外径は、ハウジング２６の壁３１の内径と同一であり、スリーブの外面には壁周りのねじ山３３に係合するねじ山４１を形成する。スリーブ４０は、外側カラー３５よりも長く、外側カラーの端部を越えて前方に突出し、ハウジング２６の壁３１とほぼ同一長さであり、この壁３１内に延在する。図１及び３に示す弛緩又は非ロック位置において、ロックリング３４は２つのリップ３２及び３６が互いに係合する最後方位置にある。スリーブ４０は壁３１に沿って約２／３ほど突入し、スリーブの前方患者側端部はベース２７から離間する。スリーブ内部において、スリーブ４０は、左側後方領域４２と右側前方領域４３との間でスリーブ内面に長さに沿って段差を付ける。後方領域４２は、後方領域がチューブに沿って自由に滑り嵌めするよう、チューブ１の外径より若干大きい内径を有する。前方領域４３はより大きい内径を有し、チューブ１周りの拡大した窪み４４、及び半径方向に延在する前方対面フロア又は圧縮面４５を形成する。
【００１８】
ロック構成２５は、ネオプレンのような高い摩擦係数を有する柔軟可撓性材料で形成した圧縮スリーブ又はリング５０によって仕上がる。このスリーブ５０は円形断面であり、またチューブ１とロックリング３４との間における窪み４４内に嵌合するよう配列される。とくに、スリーブ５０の長さは、ロックリング３４の圧縮表面４５とベース２７の内面又はフロア４６との間における距離に等しい、又はそれよりも僅かに小さいものであり、これによって、ロックリング３４が最後方の非ロック位置あるとき、圧縮リングは自然非圧縮状態である。圧縮スリーブ５０の内径はチューブ１の外径よりも僅かに小さく、したがって、リングが自然非圧縮状態にあるとき、チューブはリング内を自由に摺動することができる。圧縮スリーブ５０の外径はスリーブ４０の前方領域４３の内径に等しい。ロックリング３４が最後方の非ロック位置あるとき、圧縮スリーブ５０の右側の前方端部は窪み４４からスリーブ４０の端部を越えて前方に突出する。この状態において、圧縮リング５０は非圧縮状態であり、フランジ２はロック構成２５で釈放され、自由にチューブ１に沿って摺動し、かつチューブ１の周りで自由に角度回転し、患者にとって最良の場所に位置決めすることができる。望ましい位置でフランジ２をロックするため、ロックリング３４を単に時計方向に全行程ひねってロック位置にする。この点に関して、ロックリング３４及びハウジング２６には、連係動作する戻り止め（図示せず）を移動行程の一方又は双方の極限に形成し、完全ロック位置又は非ロック位置から脱する移動に対する付加的抵抗を生ずるようにすることができる。スリーブ５０を軸線方向に圧縮するための相互動作手段は回転リングにする必要はなく、他の形式をとることができる。
【００１９】
図２及び４は、フランジアセンブリ２がチューブ１に沿って所定位置にロックされた気管切開チューブアセンブリを示す。ロックリング３４は、スリーブ４０の右側端部がベース２７に直接接触する前方位置にある。ロックリング３４のこの前方への相対変位の効果は圧縮表面４５を圧縮リング５０の後面に衝合するよう前方に移動させる。このことにより、リング５０を圧縮表面とフロア４６との間で軸線方向に圧縮し、結果としてリングを半径方向に拡開して（ポアソン効果）スリーブ４０の内面及びチューブ１の外面の双方に衝合させようとする力を生ずる。チューブ１の外面に加わる力は、圧縮リング５０の圧縮された長さ、代表的には約６ｍｍにわたって広がり、従来型の構成に比べて相対的に大きな面積にわたって分布し、またチューブに何ら局所的凹みを生ぜしめることはない。ロックリング３４を釈放するとき、圧縮リング５０の弾性的性質は、即座に元の形状に復元することを意味し、またチューブ１のいかなる内方への圧縮も迅速に復元し、長期変形しない。ロック位置において高い摩擦力がチューブ１に加わってチューブのいかなる滑りをも阻止する。この滑り阻止は、一部にはチューブ１に加わる力に起因して、また一部には圧縮リング５０を形成する材料の摩擦係数に起因するものである。当然のことながら、チューブに接触する表面を、例えば、コーティング又は適当な材料の薄い内側スリーブにすることによって高い摩擦性を有するよう形成する場合、圧縮リングは比較的低い摩擦係数を有する異なる材料から形成することができる。このことは、適当な材料の選択肢を大きく広げることができ、そのうちの幾つかは良好な圧縮性／弾性的特性を有するがより低い摩擦係数を有するものとすることができる。
【００２０】
ロック構成は、金属又はＰＴＦＥのような低摩擦ワッシャを１個又は２個、圧縮リングの後方端部とロックリングの圧縮表面との間に配置することによる変更を加えることができる。このことは、ロックする際における圧縮リングのひねり運動を軽減する。
【００２１】
本発明は、気管切開チューブに限定するものではなく、チューブが身体から露出する場合の該チューブを支持するためのフランジを有する他の医療外科チューブに使用することができる。
【符号の説明】
【００２２】
１    チューブ
２    フランジアセンブリ
１６    患者側端部領域
１７    中間領域
１８    装置側端部領域
２０    中央プレート
２１    中心開孔
２２    ウイング
２３    ウイング
２４    側方溝孔
２５    ロック構成
２６    ハウジング
２７    ベース
２８    中心開口
２９    リップ
３０    水平出っ張り
３１    壁
３２    保持リップ
３３    ねじ山
３４    ロックリング
３５    外側カラー
３６    刻み目
４０    スリーブ（内方圧縮コンポーネント）
４１    ねじ山
４４    窪み
４５    （ロックリング３４の）圧縮表面
４６    （ベース２７の）内面又はフロア
５０    圧縮スリーブ又はリング
【図１】
2018508252.tif 000003
【図２】
2018508252.tif 000004
【図３】
2018508252.tif 000005
【図４】
2018508252.tif 000006
【国際調査報告】
2018508252.tif 000007
2018508252.tif 000008
2018508252.tif 000009